(57)【要約】      （修正有）【課題】両軸受リールにおいて、キャスティングコントロール機構の操作性向上を提供する。【解決手段】両軸受リール１００は、リール本体１と、第１側カバー８と、キャスティングコントロール機構６と、を備える。リール本体１は、第１側板７ａ、及び第１側板７ａとスプール軸２の軸方向に間隔を隔てて設けられた第２側板７ｂを有する。第１側カバー８は、リール本体１の第１側板側７ａを覆うようにして配置され、第１側板７ａよりも軸方向外側に位置するカバー部１０、カバー部１０から軸方向外側に膨出する膨出部１１、及び膨出部１１から軸方向外側に突出して形成されスプール軸２が挿通する第１ボス部１３、を有する。キャスティングコントロール機構６は、軸方向に移動可能に第１ボス部１３に装着されるとともに、軸方向から見たとき外周の一部が膨出部１１から突出する操作部材３２を有する。【選択図】図３
2018201412.tif 000002
【特許請求の範囲】
【請求項１】
スプール軸及びハンドルの回転に応じて回転するスプールを有し、釣り糸を前方に繰り出し可能な両軸受リールであって、
第１側板、前記第１側板と前記スプール軸の軸方向に間隔を隔てて設けられた第２側板、及び前記第１側板と前記第２側板とを連結する連結部、を有するリール本体と、
前記リール本体の第１側板側を覆うようにして配置され、前記第１側板よりも前記軸方向外側に位置するカバー部、前記カバー部から前記軸方向外側に膨出する膨出部、及び前記膨出部から前記軸方向外側に突出して形成され前記スプール軸が挿通する第１ボス部、を有するカバー部材と、
前記軸方向に移動可能に前記第１ボス部に装着されるとともに前記軸方向から見たとき外周の一部が前記膨出部から突出する操作部材を有し、前記操作部材の前記軸方向の移動によって前記スプールに作用する制動力を調整するキャスティングコントロール機構と、
を備えた、
両軸受リール。
【請求項２】
前記カバー部材は、前記カバー部から前記軸方向外側に延びて前記カバー部と前記膨出部とを接続する段差部を有する、
請求項１に記載の両軸受リール。
【請求項３】
前記段差部は、前記カバー部から前記膨出部に近づくにしたがって、前記操作部材に近接する部分が前記スプール軸の軸心に近づく方向に傾斜する傾斜部を有する、
請求項２に記載の両軸受リール。
【請求項４】
前記傾斜部は、前記軸方向から見たとき円弧状に延びて形成されている、
請求項３に記載の両軸受リール。
【請求項５】
前記操作部材は、内周部が前記第１ボス部の外周部に回動可能に装着された有底筒状の回動部材であり、小径部と、前記小径部の外径よりも大径かつ前記小径部よりも前記軸方向外側に形成され、前記軸方向から見たとき外周の一部が前記膨出部から突出する大径部と、を有する、
請求項１から４のいずれか１項に記載の両軸受リール。
【請求項６】
前記カバー部材は、前記第１ボス部よりも前方で前記膨出部から前記軸方向外側に突出する第２ボス部をさらに有し、
前記第２ボス部を前記軸方向に貫通する駆動軸をさらに備えた、
請求項１から５のいずれか１項に記載の両軸受リール。
【発明の詳細な説明】
【技術分野】
【０００１】
本発明は、両軸受リールに関する。
【背景技術】
【０００２】
両軸受リールには、スプールに作用する制動力を調整するためのキャスティングコントロール機構が設けられている。キャスティングコントロール機構は、カバー部材のボス部に螺合するつまみ部材と、スプール軸をスプール軸の軸方向に押圧する複数の摩擦板と、を有している。つまみ部材はスプール軸の軸方向に移動可能であり、つまみ部材が回動操作されると、つまみ部材が軸方向に移動する。このつまみ部材の軸方向の移動に伴い、スプール軸を押圧する摩擦板の押圧力が変化して、スプールに作用する制動力が調整される。
【先行技術文献】
【特許文献】
【０００３】
【特許文献１】特開２０１２−１００６２４号公報
【発明の概要】
【発明が解決しようとする課題】
【０００４】
特許文献１のつまみ部材は、軸方向から見たとき、第２側カバーの軸方向外側に膨出した膨出部分内に収まるように設けられている。すなわち、軸方向から見たとき、つまみ部材の外周が膨出部分から突出していない（図２参照）。このような構成では、膨出部分によってつまみ部材に指を当てにくくなり、つまみ部材の回動操作がし辛く、スプールに作用する制動力の調整を容易に行えない。
【０００５】
本発明の課題は、両軸受リールにおいて、キャスティングコントロール機構の操作性を向上させることにある。
【課題を解決するための手段】
【０００６】
本発明の一側面に係る両軸受リールは、スプール軸及びハンドルの回転に応じて回転するスプールを有し、釣り糸を前方に繰り出し可能であって、リール本体と、カバー部材と、キャスティングコントロール機構と、を備えている。リール本体は、第１側板、第１側板とスプール軸の軸方向に間隔を隔てて設けられた第２側板、及び第１側板と第２側板とを連結する連結部、を有している。カバー部材は、リール本体の第１側板側を覆うようにして配置され、第１側板よりも軸方向外側に位置するカバー部、カバー部から軸方向外側に膨出する膨出部、及び膨出部から軸方向外側に突出して形成されスプール軸が挿通する第１ボス部、を有している。キャスティングコントロール機構は、軸方向に移動可能に第１ボス部に装着されるとともに、軸方向から見たとき外周の一部が膨出部から突出する操作部材を有し、操作部材の軸方向の移動によってスプールに作用する制動力を調整する。
【０００７】
この両軸受リールでは、軸方向から見たとき、操作部材の外周の一部がカバー部材の膨出部から突出しているため、操作部材の操作がし易くなる。これにより、スプールに作用する制動力を容易に調整することができるため、キャスティングコントロール機構の操作性が向上する。
【０００８】
好ましくは、カバー部材は、カバー部から軸方向外側に延びてカバー部と膨出部とを接続する段差部を有している。この場合は、軸方向から見て操作部材の外周の一部が段差部から突出することになる。
【０００９】
好ましくは、段差部は、カバー部から膨出部に近づくにしたがって、操作部材に近接する部分がスプール軸の軸心に近づく方向に傾斜する傾斜部を有している。この場合は、操作部材の外径を大径化することなく、容易に操作部材の外周の一部を膨出部から突出させることができる。
【００１０】
好ましくは、傾斜部は、軸方向から見たとき円弧状に延びて形成されている。この場合は、傾斜部が操作部材の回動操作範囲を規制する規制部として機能するため、操作部材の締めすぎや緩めすぎを防止することができる。
【００１１】
好ましくは、操作部材は、内周部が第１ボス部の外周部に回動可能に装着された有底筒状の回動部材であり、小径部と、小径部の外径よりも大径かつ小径部よりも軸方向外側に形成され、軸方向から見たとき外周の一部が膨出部から突出する大径部と、を有している。この場合は、膨出部と大径部とが、軸方向において近づき過ぎることを防ぐことができるため、操作部材の操作がし易くなる。
【００１２】
好ましくは、カバー部材は、第１ボス部よりも前方で膨出部から軸方向外側に突出する第２ボス部をさらに有し、両軸受リールは、第２ボス部を軸方向に貫通する駆動軸をさらに備えている。この場合は、例えばハンドルを操作部材と同じ第１カバー側に配置した場合でも、ハンドルに邪魔されることなく操作部材の操作を容易に行うことができる。
【発明の効果】
【００１３】
本発明によれば、両軸受リールにおいて、キャスティングコントロール機構の操作性を向上させることができる。
【図面の簡単な説明】
【００１４】
【図１】本発明の一実施形態が採用された両軸受リールの側面図。
【図２】本発明の一実施形態が採用された両軸受リールの背面図。
【図３】図１のIII−III線断面図。
【図４】第１側カバー周辺の斜視図。
【図５】操作部材周辺の底面図。
【発明を実施するための形態】
【００１５】
本発明の一実施形態が採用された両軸受リール１００は、前方に釣り糸を繰り出し可能な両軸受リールであり、図１、図２及び図３に示すように、リール本体１と、スプール軸２と、スプール３と、ハンドル４と、回転伝達機構５と、キャスティングコントロール機構６と、を備えている。なお、以下の説明において、前後とは、釣りを行うときに、釣糸が繰り出される方向を前、その反対方向を後という。例えば、図１では右側が前、左側が後ろである。また、軸方向とは、スプール軸２が延びる方向を意味する。
【００１６】
リール本体１は、第１側板７ａと、第１側板７ａと軸方向に間隔を隔てて配置された第２側板７ｂと、第１側板７ａと第２側板７ｂとを連結する複数の連結部７ｃと、釣竿が装着される竿装着部７ｄと、を有している。
【００１７】
第１側板７ａは、スプール３取り出し用の開口７ｅが形成された概ね円板状の部材である。第１側板７ａの外側は、第１側カバー８（カバー部材の一例）によって覆われている。
【００１８】
第１側カバー８は、カバー部１０と、膨出部１１と、段差部１２と、を有している。また、第１側カバー８は、第１ボス部１３と、第２ボス部１４と、をさらに有している（図３参照）。カバー部１０は、第１側板７ａよりも軸方向外側に配置され、第１側板７ａの一部を覆っている。
【００１９】
膨出部１１は、カバー部１０から軸方向外側に膨出して形成されている。また、膨出部１１は、図１及び図４に示すように、カバー部１０から前方にも膨出して形成されている。
【００２０】
段差部１２は、カバー部１０から軸方向外側に延びて、カバー部１０と膨出部１１とを接続している。段差部１２は、第１ボス部１３の外縁に近接する部分に傾斜部１２ａを有している。傾斜部１２ａの詳細については後述する。
【００２１】
第１ボス部１３は、段差部１２に近接した位置で、膨出部１１から軸方向外側に突出して形成されている。第１ボス部１３は、外周面に雄ねじ部１３ａを有している。
【００２２】
第２ボス部１４は、第１ボス部１３よりも前方の位置で、膨出部１１から軸方向外側に突出して形成されている。第２ボス部１４は、外周面に径方向外側に延びた環状の突起１４ａを有している。
【００２３】
第２側板７ｂは、リール本体１の第２側板７ｂを覆う第２側カバー９と一体に形成されている。なお、第２側板７ｂと第２側カバー９とを別体で構成してもよい。
【００２４】
スプール軸２は、リール本体１に配置された軸受１５ａ,１５ｂを介して、リール本体１に回転可能に支持されている。スプール軸２は、第１側板７ａからさらに軸方向外側に延びて、第１側カバー８の第１ボス部１３を挿通している。
【００２５】
スプール３は、スプール３の中央を貫通するスプール軸２に固定されて、第１側板７ａと第２側板７ｂとの間でスプール軸２とともに回転する。
【００２６】
ハンドル４は、リール本体１の第１側板７ａ側に設けられている。ハンドル４の回転操作に応じて、回転伝達機構５を介してスプール軸２とともにスプール３が回転する。
【００２７】
回転伝達機構５は、図３に示すように、駆動軸２０と、駆動ギア２１と、筒状のピニオンギア２２と、ドラグ機構２３と、を有している。駆動軸２０は、第１側カバー８の第２ボス部１４を軸方向に貫通して、ハンドル４に回転不能に連結されている。駆動軸２０は、リール本体１と第１側カバー８の第２ボス部１４とに配置された軸受２４ａ，２４ｂによってリール本体１に対して回転可能に支持されている。なお、駆動軸２０は、第１側カバー８の第２ボス部１４に配置されたワンウェイクラッチ２５によって、釣り糸繰り出し方向への回転が禁止されている。
【００２８】
駆動ギア２１は、駆動軸２０に装着されている。ピニオンギア２２は、リール本体１と第１側カバー８とに配置された軸受２６ａ，２６ｂによって両端が支持されている。ピニオンギア２２はスプール軸２回りに装着されて、駆動ギア２１にかみ合う。駆動軸２０の回転がドラグ機構２３及び駆動ギア２１を介してピニオンギア２２に伝達され、ピニオンギア２２の回転によってスプール軸２とともにスプール３が回転する。
【００２９】
ドラグ機構２３は、スプール３の釣り糸繰り出し方向の回転を制動するためのものである。ドラグ機構２３ついては従来と同様の構成であるため、詳細な説明は省略する。なお、本実施形態では、ドラグ機構２３の一部を構成する筒状の移動部材２３ａが第１側カバー８の第２ボス部１４の外周部の一部を覆うようにして配置されている。より詳細には、移動部材２３ａは、第２ボス部１４の環状の突起１４ａの径方向外側を覆うようにして配置されている。これにより、移動部材２３ａと第１側カバー８の第２ボス部１４との隙間から第１側カバー８の内部等への水の浸入を抑制している。
【００３０】
キャスティングコントロール機構６は、スプール軸２を押圧することでスプール３に作用する制動力を調整するためのものである。キャスティングコントロール機構６は、図３に示すように、第１摩擦プレート３０と、第２摩擦プレート３１と、有底筒状の操作部材３２と、を有している。
【００３１】
第１摩擦プレート３０は、操作部材３２の底部に配置されている。第２摩擦プレート３１は、第２側カバー９に配置されている。第１摩擦プレート３０及び第２摩擦プレート３１は、スプール軸２の両端を挟むようにして配置され、スプール軸２を軸方向に押圧している。
【００３２】
操作部材３２は、第１側カバー８の第１ボス部１３に回動可能に装着されている。操作部材３２は、雌ねじ部３２ａと、環状の小径部３２ｂと、小径部３２ｂよりも軸方向外側に位置する環状の大径部３２ｃと、を有している。雌ねじ部３２ａは、操作部材３２の内周面に形成されている。この雌ねじ部３２ａが第１側カバー８の第１ボス部１３の雄ねじ部１３ａに螺合することにより、操作部材３２が軸方向に移動可能に第１ボス部１３に装着されている。
【００３３】
小径部３２ｂは、第１側カバー８の段差部１２に近接する位置に設けられている。小径部３２ｂは、第１側カバー８の膨出部１１と大径部３２ｃとが、軸方向において近接し過ぎないようにするために設けられている。
【００３４】
大径部３２ｃは、外周面に親指を押し当てて、もしくは２本の指で摘んで回動操作される部分である。大径部３２ｃの外周面は、例えばローレット加工により滑り止め処理が施されている。大径部３２ｃは、外径が小径部３２ｂの外径よりも大径であり、軸方向の長さが小径部３２ｂよりも長く形成されている。大径部３２ｃは、図１及び図５に示すように、軸方向から見たとき、外周の一部が第１側カバー８の膨出部１１から突出するように構成されている。なお、図５は操作部材２３周辺の底面図である。
【００３５】
スプール３に作用する制動力の調整は、操作部材３２の大径部３２ｃを回動操作することによって行われる。具体的には、操作部材３２の大径部３２ｃが回動操作されると、操作部材３２が軸方向に移動する。この操作部材３２の軸方向の移動に伴って、操作部材３２の底部に配置された第１摩擦プレート３０が軸方向に移動する。これにより、スプール軸２に作用する軸方向の押圧力が変化して、スプール３に作用する制動力が調整される。
【００３６】
ここで、図５に示すように、第１側カバー８のカバー部１０と膨出部１１とを接続する段差部１２は、カバー部１０から膨出部１１に近づくにしたがって、操作部材３２に近接する部分がスプール軸２の軸心Ｏに近づく方向に傾斜する傾斜部１２ａを有している。傾斜部１２ａを設けることで、大径部３２ｃの外径を大径化することなく、軸方向において、大径部３２ｃの一部を第１側カバー８の膨出部１１から突出させることができる。大径部３２ｃの一部を第１側カバー８の膨出部１１から突出させることで、操作部材３２の回動操作がし易くなり、スプール３に作用する制動力の調整を容易に行うことができる。
【００３７】
また、図１及び図４に示すように、本実施形態では、軸方向から見たとき、傾斜部１２ａが操作部材３２の大径部３２ｃの曲率半径よりも小さい曲率半径で円弧状に延びて形成されている。これにより、傾斜部１２ａが操作部材３２の回動操作範囲を規制する規制部として機能する。詳細には、操作部材３２の大径部３２ｃの外周面に親指を押し当てて操作部材３２を回動操作していくと、大径部３２ｃに当てた親指の腹が傾斜部１２ａの表面に当たる。すなわち、傾斜部１２ａに沿って親指を移動させながら操作部材３２を回動操作することで、操作部材３２の回動操作範囲が規制される。このため、操作部材３２がどの程度回動されたか感覚的に認識することができる。また、操作部材３２の回動操作範囲が規制されることで、操作部材３２の締めすぎや緩めすぎを防ぐことができる。これにより、スプール３に作用する制動力の微調整を容易に行うことができる。
【００３８】
＜他の実施形態＞
以上、本発明の実施形態について説明したが、具体的な構成はこれらの実施形態に限られるものではなく、発明の要旨を逸脱しない範囲で変更可能である。
【００３９】
（ａ）前記実施形態では、第１側カバー８の段差部１２に傾斜部１２ａ、さらに操作部材３２に小径部３２ｂと大径部３２ｃとを設けていたが、これらを必ずしも設ける必要はなく、軸方向から見たとき、操作部材３２の外周の一部が第１側カバー８の膨出部１１から突出していればよい。例えば、段差部１２を軸方向外側に平坦に延ばして形成してもよい。
【００４０】
（ｂ）前記実施形態では、段差部１２の傾斜部１２ａを円弧状に形成していたが、傾斜部１２ａの形状はこれに限定されるものではない。第１側カバー８の膨出部１１から突出する第１ボス部１３の位置等によって傾斜部１２ａの形状は適宜調整される。
【００４１】
（ｃ）前記実勢形態では、スプール３はスプール軸２の外周に固定されていたが、スプール軸に対してスプールが回転する構造やスプール軸が分割された構造でも本件を採用できる。
【符号の説明】
【００４２】
１  リール本体
２  スプール軸
３  スプール
６  キャスティングコントロール機構
７ａ  第１側板
７ｂ  第２側版
７ｃ  連結部
８  第１側カバー（カバー部材の一例）
１０  カバー部
１１  膨出部
１２  段差部
１２ａ  傾斜部
１３  第１ボス部
１４  第２ボス部
２０  駆動軸
３２  操作部材
３２ｂ  小径部
３２ｃ  大径部
１００  両軸受リール
Ｏ  軸心
【図１】
2018201412.tif 000003
【図２】
2018201412.tif 000004
【図３】
2018201412.tif 000005
【図４】
2018201412.tif 000006
【図５】
2018201412.tif 000007